(57)【特許請求の範囲】
【請求項１】
外装箱を有し、当該外装箱内に機器を収納して包装する包装装置において、
前記外装箱内に配設され、内部に前記機器を保持する保持部材を備え、
該保持部材は、機器が載置される第１及び第２の仕切部材と、これら仕切部材の外側に位置し、当該仕切部材と共に二重の井桁状を成す側壁及び前後壁とから構成され、前記機器周囲の外装箱との間に所定の間隔を存して当該機器を保持し、前記側壁は前記外装箱に加わる上下方向の荷重を受けると共に、前記仕切部材の下端には下端側凹部が複数形成されていることを特徴とする機器の包装装置。
【請求項２】
前記保持部材の仕切部材は、前記機器の下面を緩衝材を介して保持すると共に、前記仕切部材の上端には、前記緩衝材の幅寸法より広い上端側凹部が複数形成されていることを特徴とする請求項１の機器の包装装置。
【請求項３】
前記外装箱と前記機器との間に構成される間隔は、前記機器の付属部品の収納空間とされていることを特徴とする請求項１又は請求項２の機器の包装装置。
【請求項４】
前記保持部材を構成する仕切部材、側壁、及び、前後壁、又は、それらと前記緩衝材は板材から成り、分解可能に組み立てられていることを特徴とする請求項１、請求項２又は請求項３の機器の包装装置。
【請求項５】
前記保持部材を構成する仕切部材、側壁、及び、前後壁は、前記外装箱と前記機器との間に構成される間隔を、前記付属部品の寸法に合わせて区画することを特徴とする請求項４の機器の包装装置。
【発明の詳細な説明】
【０００１】
【発明の属する技術分野】
本発明は、例えば冷却貯蔵庫の冷却ユニット等の機器を外装箱内に収納して包装するための包装装置に関するものである。
【０００２】
【従来の技術】
従来より例えばプレハブ冷凍・冷蔵庫に取り付けられる冷却装置は、冷凍サイクルを構成する冷却用機器としての圧縮機や凝縮器等を配設することにより構成される室外機と、前記室外機と共に冷凍サイクルを構成する冷却器やこの冷却器と熱交換した冷気を前記プレハブ冷凍・冷蔵庫の庫内に循環させるための送風機（冷却用機器）等により構成される冷却ユニット（室内機）とから構成される。
【０００３】
前記冷却ユニットは、通常アルミニウム等の板状部材により略矩形状に形成される本体内に上記機器を配設することにより構成されている。このような冷却ユニットの搬送の際に包装する場合、冷却ユニットを上下に例えばスチロール製の緩衝部材を介して外装箱としての段ボール箱内に収納し、冷却ユニットの付属部品は、他の段ボール箱内に収納し、冷却ユニットの搬送を行っていた。
【０００４】
【発明が解決しようとする課題】
しかしながら、係る包装方式では冷却ユニットを積み重ねた際、上の冷却ユニットの荷重が下の冷却ユニットを収納した段ボール箱に加わるため、箱が変形して荷崩れを引き起こす危険性があった。また、比較的容易に変形されてしまう本体が変形され、本体内部の機器が損傷してしまう問題があった。
【０００５】
また、出荷時や搬送時などにおいて、落下や荷崩れにより、外装箱の例えば角隅部が変形した場合に、外装箱内に収納された冷却ユニットの角隅部までもが変形してしまう問題があった。
【０００６】
更に、外装箱内に冷却ユニットと、該冷却ユニットの付属部品、即ち、電送箱や制御装置などをを同梱した場合に、箱の変形によってこれらが潰れてしまう問題があった。
【０００７】
本発明は、係る従来の技術課題を解決するために成されたものであり、安全に機器を包装することができる包装装置を提供するものである。
【０００８】
【課題を解決するための手段】
本発明の機器の包装装置は、外装箱を有し、当該外装箱内に機器を収納して包装するものであって、外装箱内に配設され、内部に機器を保持する保持部材を備え、該保持部材は、機器が載置される第１及び第２の仕切部材と、これら仕切部材の外側に位置し、当該仕切部材と共に二重の井桁状を成す側壁及び前後壁とから構成され、機器周囲の外装箱との間に所定の間隔を存して当該機器を保持し、側壁は外装箱に加わる上下方向の荷重を受けると共に、仕切部材の下端には下端側凹部が複数形成されていることを特徴とする。
【０００９】
本発明によれば、外装箱を有し、当該外装箱内に機器を収納して包装する包装装置において、外装箱内に配設され、内部に機器を保持する保持部材を備え、該保持部材は、機器が載置される第１及び第２の仕切部材と、これら仕切部材の外側に位置し、当該仕切部材と共に二重の井桁状を成す側壁及び前後壁とから構成され、機器周囲の外装箱との間に所定の間隔を存して当該機器を保持し、側壁は外装箱に加わる上下方向の荷重を受けるので、積み重ねた際に上となる機器の荷重は保持部材の側壁が受け止め、下となる機器の包装装置に加わるようになる。これにより、倉庫での保管時や輸送の際に積み重ねた場合にも、機器自体に荷重が加わって損傷を生じる危険性が無くなる。
【００１０】
また、機器を保持する保持部材は、外装箱とは所定の間隔を存して外装箱内に収納されているため、出荷時や搬送時などにおいて、外装箱の例えば角隅部が変形した場合であっても機器を保持する保持部材が変形することを回避することができ、機器を安全に搬送することができるようになる。更に、機器が載置される仕切部材の下端には、下端側凹部が複数形成されているので、搬送時における下面からの衝撃を緩和することができるものである。
【００１１】
請求項２の発明の機器の包装装置は、請求項１の発明に加えて、保持部材の仕切部材は、機器の下面を緩衝材を介して保持すると共に、前記仕切部材の上端には、緩衝材の幅寸法より広い上端側凹部が複数形成されていることを特徴とする。
【００１２】
請求項２の発明によれば、請求項１の機器の包装装置に加えて、保持部材の仕切部材は、機器の下面を緩衝材を介して保持するので、輸送中に機器に加わる衝撃を緩衝材にて吸収することができ、機器に直接衝撃が加わることを未然に回避することができるようになる。この場合、仕切部材の上端には、緩衝材の幅寸法より広い上端側凹部が複数形成されているので、緩衝材を仕切部材の上端側凹部上に収容することで緩衝材の位置決めを容易に行うことができるようになり、搬送時における衝撃によって緩衝材の位置が移動されてしまう不都合も未然に回避することができるようになるものである。
【００１３】
請求項３の発明の機器の包装装置は、請求項１又は請求項２の発明に加えて、外装箱と機器との間に構成される間隔は、機器の付属部品の収納空間とされていることを特徴とする。
【００１４】
請求項３の発明によれば、請求項１又は請求項２の機器の包装装置に加えて、外装箱と機器との間に構成される間隔は、機器の付属部品の収納空間とされているので、一つの包装装置内に、機器と該機器の付属部品を収納することができるようになり、出荷、納品時の利便性が向上されると共に、付属部品の包装を容易に行うことができるようになる。
【００１５】
請求項４の発明の機器の包装装置は、請求項１、請求項２又は請求項３の発明に加えて、保持部材を構成する仕切部材、側壁、及び、前後壁、又は、それらと緩衝材は板材から成り、分解可能に組み立てられていることを特徴とする。
【００１６】
請求項４の発明によれば、請求項１、請求項２又は請求項３の機器の包装装置に加えて、保持部材を構成する仕切部材、側壁、及び、前後壁、又は、それらと緩衝材は板材から成り、分解可能に組み立てられているので、複数の板材を分解することにより、包装解放後、容易に処分することができるようになる。また、保持部材を構成する仕切部材、側壁、前後壁、又は、それらと緩衝材は、板材として保管することができるようになり、生産過程における保管スペースを縮小することができるようになる。
【００１７】
請求項５の発明の機器の包装装置は、請求項４の発明に加えて、保持部材を構成する仕切部材、側壁、及び、前後壁は、外装箱と機器との間に構成される間隔を、付属部品の寸法に合わせて区画することを特徴とする。
【００１８】
請求項５の発明によれば、請求項４の機器の包装装置に加えて、保持部材を構成する仕切部材、側壁、及び、前後壁は、外装箱と機器との間に構成される間隔を、付属部品の寸法に合わせて区画するので、付属部品を容易に収納することができると共に、機器と該付属部品とが接触することにより、機器が損傷することを未然に回避することができるようになる。
【００１９】
【発明の実施の形態】
以下、図面に基づき本発明の実施形態を詳述する。図１は本発明の対象となる機器としての冷却ユニット１の斜視図、図２は冷却ユニット１の縦断側面図をそれぞれ示している。
【００２０】
冷却ユニット１は、図示しないプレハブ冷凍・冷蔵庫などの例えば天井面などに設置される冷却ユニットであり、前面に通風グリル３を形成した外装ケース４内に、図示しない別置きの室外機内に配設される圧縮機や凝縮器などによって構成される冷却装置と周知の冷凍サイクルを構成する冷却器５と、通風グリル３側に冷気を吐出する冷却用送風機６とにより構成されている。
【００２１】
そして、この外装ケース４は、例えばアルミニウムなどの板状部材を折曲することにより、下面に開口を有する本体７と、本体７の下面開口を開閉自在に閉塞する下面パネル８とから構成される。この下面パネル８は、本体７の下面開口後端を中心として回動することにより下方に開放可能とされていると共に、前端から後端にわたって徐々に低く傾斜して形成されている。
【００２２】
また、下面パネル８の後部には、冷気吸込口９が形成されており、前記冷却器用送風機６が運転されると、冷気吸込口９から外装ケース４内に流入した空気は、前記冷却器５によって冷却され、冷却器用送風機６によって通風グリル３より庫内を冷却する。庫内を循環した冷気は、再び冷却ユニット１の冷気吸込口９から外装ケース４内に帰還する。尚、図中における２７は、冷却器５の下方に設置されるドレンパンである。
【００２３】
尚、本体７の後面には、前記冷却装置に電源を供給する電源コード１９が接続されているものとする。
【００２４】
次に、上記冷却ユニット１の包装装置について図３及び図４を参照して説明する。図３は本発明の包装装置１０の分解斜視図、図４は本発明の包装装置１０の保持部材１１の斜視図を示している。係る冷却ユニット１を包装する本発明の包装装置１０は、実施例では、所謂段ボール箱により構成される外装箱１２と、複数の強化段ボール製の板材を組み合わせることにより構成される保持部材１１とから構成される。
【００２５】
保持部材１１は、図４に示す如く２枚の側壁１３、１３と、２枚の前後壁１４、１４と、２つの第１の仕切部材１５、１５と、３つの第２の仕切部材１６、１６、１６とから構成されている。側壁１３、１３は、高さ寸法が、前記外装箱１２の内寸法の高さ寸法よりも所定寸法小さく形成されていると共に、幅寸法が、前記外装箱１２の前後壁に略きっちり狭持される寸法とされている。また、前後壁１４、１４は、本実施例では、高さ寸法が、側壁１３、１３よりも小さく形成されていると共に、横寸法は、前記外装箱１２の両側壁間に略きっちり狭持される寸法とされている。
【００２６】
また、第１の仕切部材１５、１５は、前記前後壁１４と同様に横寸法が前記外装箱１２の両側壁間に略きっちり狭持される寸法とされていると共に、第２の仕切部材１６、１６、１６の長さ寸法は、前記側壁１３と同様に前記外装箱１２の前後壁に略きっちり狭持される寸法とされている。また、第１の仕切部材１５の上端には、詳細は後述する緩衝材２０を載置するための上端側凹部１５Ａが複数、本実施例では３つ形成されており、この上端側凹部１５Ａの幅寸法は、緩衝材２０の幅寸法よりも少許広いものとする。
【００２７】
更にまた、第１の仕切部材１５、１５及び第２の仕切部材１６、１６の下端には、搬送時における下面からの衝撃を緩和するための下端側凹部１５Ｂ及び１６Ａが複数形成されている。
【００２８】
そして、第１の仕切部材１５の高さ寸法は、図３に示す如き冷却ユニット１の付属部品としての電装品を収納したリードボックス１７や冷却ユニット１を構成する上記冷却装置を制御するコントローラ１８の高さ寸法よりも少許高い寸法とする。また、第２の仕切部材１６の高さ寸法は、第１の仕切部材１５の上端側凹部１５Ａの下端と面一となる高さ寸法とされているものとする。
【００２９】
そして、これら側壁１３、１３と前後壁１４、１４の側部には、端部と所定間隔を存して図示しない下端から上方に向けて所定寸法第１の切込が形成されている。また、該第１の切込の内方には、所定間隔を存して同様に下端から上方に向けて第２の切込が形成されている。更に、前後壁１４、１４の略中央部には、同様に第３の切込が形成されている。また、第１の仕切部材１５、１５においても前記前後壁１４、１４の第１の切込、第２の切込及び第３の切込の位置と略同一の位置に図示しない第１の切込、第２の切込及び第３の切込が形成されている。第２の仕切部材１６、１６、１６は、前記側壁１３、１３の第１の切込及び第２の切込の位置と略同一の位置に図示しない第１の切込、第２の切込が形成されている。
【００３０】
以上の構成により、保持部材１１の組み立て手順について説明する。先ず初めに第１の仕切部材１５、１５を所定寸法間隔を存して前後に対向して載置する。次いで、第２の仕切部材１６、１６を第１の仕切部材１５、１５の左右に位置させ、第１の仕切部材１５、１５の第２の切込と、第２の仕切部材１６の第２の切込とを嵌合させる。これにより、第１の仕切部材１５と第２の仕切部材１６により井桁を形成する。また、残りの第２の仕切部材１６を第１の仕切部材１５の第３の切込に嵌合させる。
【００３１】
次に、第１の仕切部材１５、１５と平行となるように第１の仕切部材１５の外側に前後壁１４、１４を位置させ、前後壁１４、１４の第２の切込を第２の仕切部材１６の第１の切込と嵌合させる。そして、側壁１３、１３を第２の仕切部材１６と平行とすると共に、該第２の仕切部材１６の外側に位置させ、側壁１３、１３の第１の切込を前後壁１４、１４の第１の切込と嵌合させると共に、側壁１３、１３の第２の切込を第１の仕切部材１５、１５の第１の切込と嵌合させる。
【００３２】
このとき、側壁１３、前後壁１４、第１及び第２の仕切部材１５、１６の両側部には、側端と所定間隔を存してそれぞれ第１の切込が形成されているため、側壁１３の外側に位置する側面から該間隔分だけ、前後壁１４及び第１の仕切部材１５が突出して取り付けられる。また、前後壁１４の外側に位置する前面（又は後面）から該間隔分だけ、側壁１３及び第２の仕切部材１５が突出して取り付けられる。
【００３３】
以上の構成により、保持部材１１は、二重の井桁状に形成される。そして、該保持部材１１は、前記外装箱１２に収納される。このとき、上述の如く、保持部材１１を構成する側壁１３の側面から所定間隔分だけ前後壁１４及び第１の仕切部材１５が突出されていると共に、前後壁１４の前面（又は後面）から同様に所定間隔分だけ側壁１３及び第２の仕切部材１６が突出されているため、保持部材１１を外装箱１２内に収納した際に、外装箱１２の内面と保持部材１１を構成する側壁１３の側面又は前後壁１４の前面（後面）との間に所定の間隔を存することができるようになる。
【００３４】
ここで、保持部材１１は、上述の如く複数の板材、即ち、側壁１３、１３と、前後壁１４、１４と、第１及び第２の仕切部材１５、１５、１６、１６とを組み合わせることにより構成されているため、保管時に、板材として保管することができ、生産過程における保管スペースを縮小することができる。また、組み立てられた保持部材１１を分解することにより、包装解放後、容易に処分することができる。
【００３５】
また、前記第１の仕切部材１５と、第２の仕切部材１６とにより構成される本実施例では、２つの空間には、前述の如きリードボックス１７及びコントローラ１８を収納する。このとき、第１の仕切部材１５の高さ寸法は、リードボックス１７及びコントローラ１８の高さ寸法よりも少許高い寸法とされているため、容易にリードボックス１７及びコントローラ１８を収納することができるようになる。
【００３６】
その後、第１の仕切部材１５と第２の仕切部材１６の上方から、緩衝材２０、２０、２０を載置する。この緩衝材２０は図３に示す如く比較的柔らかい段ボールにより構成された板状部材であり、緩衝材２０の前部及び後部には、同じく比較的柔らかい段ボールを複数枚貼り合わせたクッション材２０Ａが設けられている。そして、この緩衝材２０は、第１の仕切部材１５に形成された前記上端側凹部１５Ａ上に収容される。
【００３７】
これにより、該緩衝材２０の位置決めを容易に行うことができるようになると共に、搬送時における衝撃により、緩衝材２０の位置が移動されてしまう不都合を未然に回避することができるようになる。
【００３８】
またここで、それぞれの緩衝材２０との間の隙間は、冷却ユニット１の付属部品としてのリードボックス１７やコントローラ１８よりも小さいものとし、これにより、搬送時における衝撃によりリードボックス１７やコントローラ１８の浮き上がりを未然に回避することができるようになる。
【００３９】
そして、この緩衝材２０の上方から上記冷却ユニット１を載置する。このとき、冷却ユニット１は、傾斜面が形成されているドレンパン８を上面とすると共に、冷却ユニット１の本体７後面が後方に位置するように緩衝材２０上に載置する。ここで、冷却ユニット１の下面と、冷却ユニット１の付属部品としてのリードボックス１７等は、緩衝材２０により所定の隙間が形成されるため、冷却ユニット１と付属部品とが接触することにより、冷却ユニット１が損傷することを未然に回避することができるようになる。また、保持部材１１は、冷却ユニット１の下面を緩衝材２０を介して保持するので、輸送中に冷却ユニット１に加わる衝撃を緩衝材２０にて吸収することができ、冷却ユニット１に直接衝撃が加わることを未然に回避することができるようになる。尚、冷却ユニット１は、図示しない段ボール等により傷を防止するため、保護シートにより包装した後、緩衝材２０上に載置してもよいものとする。
【００４０】
また、このとき、冷却ユニット１が緩衝材２０上に載置された状態で、冷却ユニット１のドレンパン８の一番高い部分は、前記保持部材１１の側壁１３の高さよりも少許低い位置に位置しているものとする。
【００４１】
そして、天板２１の下面が前記保持部材１１の側壁１３、１３の上端と当接するようにこの冷却ユニット１の上方から天板２１を載置する。ここで、天板２１は、強化段ボールにて構成される板状部材であり、両側部には、直接力が加えられる箇所を補強するための補強板２２、２２が取り付けられている。これにより、例えば、該冷却ユニット１を収納した外装箱１２を積み上げるなどにより、該外装箱１２の上方から加えられた力は、冷却ユニット１に加えられることなく天板２１を介して側壁１３、１３上端に加圧される。
【００４２】
また、この天板２１の後部には、両補強板２２の内側端部に沿って所定寸法切込２３、２３が形成されており、該切込２３、２３の前端間に渡って所謂ミシン目が形成されている。この切込２３、２３と該ミシン目によって囲繞される部分に折込部２４が形成される。この折込部２４には、更に前記ミシン目から及び折込部２４後端から所定寸法を存して図示しないミシン目が形成されている。そして、切込２３の前端に形成されたミシン目に沿って上方に略直角に折曲された後、更に、前記ミシン目近傍に形成されたミシン目に沿って前方に略直角に折曲され、更に、後端側に位置するミシン目に沿って下方に略直角に折曲されることにより、該折込部２４によって囲繞される空間には矩形状の収納スペースが形成される。
【００４３】
そして、係る収納スペースには、冷却ユニット１の付属部品としてのドレンパイプなどの細長い部品を収納することができる。そのため、該収納スペースに収納される付属部品は、格別な包装を行うことなく、折込部２４により構成される収納スペース内に収納し、該折込部２４の端部をテープなどにより固定することにより、容易に該付属部品の収納を行うことができるようになる。
【００４４】
また、折曲された後の折込部２４の上面には、長孔２５が形成されており、折込部２４内に収納された付属品を容易に目視することができるようになる。
【００４５】
更に、折込部２４が前方に折り込まれたことにより折込部２４の後方に形成される空間は、前記天板２１の下方と連通しており、該空間に、天板２１の下方に収納された冷却ユニット１の電気コード１９を引き出し、電気コード１９の収納を行うことができるようになる。
【００４６】
更に、この天板２１の上方には、段ボールなどにより構成される部材を井桁上に組み込まれたスペーサ部材２６が収納される。このスペーサ部材２６の高さ寸法は、前記折込部２４により構成される収納スペースの高さと略同一又は少許高く形成されており、これにより、外装箱１２の上端とスペーサ部材２６の上端との高さが略面一となるものとする。
【００４７】
これにより、上方から積載される物品により、天板２１上に収納されるドレンホース等の付属品が損壊されることを未然に回避することができるようになる。また、外装箱１２の上面開口を閉塞することにより、外装箱１２内に収納される冷却ユニット１及び付属部品を略きっちり安定して保持することができるようになる。
【００４８】
また、上述の如く冷却ユニット１は保持部材１１により保持され、該保持部材１１の側壁１３、１３にて上下方向の荷重を受けるので、積み重ねた際に上となる物品の荷重は保持部材１１が受け止め、下となる冷却ユニット１の包装装置１０に加わるようになる。これにより、倉庫での保管時や輸送の際に積み重ねた場合にも、冷却ユニット１自体に荷重が加わって、比較的柔らかい材料にて構成される本体７が変形又は損傷を生じる危険性が無くなる。
【００４９】
また、冷却ユニット１を保持する保持部材１１は、外装箱１２とは所定の間隔を存して外装箱１２内に収納されているため、出荷時や搬送時などにおいて、外装箱１２の例えば角隅部が変形した場合であっても冷却ユニット１を保持する保持部材１１が変形することを回避することができ、冷却ユニット１を安全に搬送することができるようになる。
【００５０】
尚、本実施例では、保持部材１１に保持され外装箱１２に収納される機器を冷却ユニットとして説明しているが、該冷却ユニット以外の機器であってもよいものとする。
【００５１】
【発明の効果】
以上詳述した如く本発明によれば、外装箱を有し、当該外装箱内に機器を収納して包装する包装装置において、外装箱内に配設され、内部に機器を保持する保持部材を備え、該保持部材は、機器が載置される第１及び第２の仕切部材と、これら仕切部材の外側に位置し、当該仕切部材と共に二重の井桁状を成す側壁及び前後壁とから構成され、機器周囲の外装箱との間に所定の間隔を存して当該機器を保持し、側壁は外装箱に加わる上下方向の荷重を受けるので、積み重ねた際に上となる機器の荷重は保持部材の側壁が受け止め、下となる機器の包装装置に加わるようになる。これにより、倉庫での保管時や輸送の際に積み重ねた場合にも、機器自体に荷重が加わって損傷を生じる危険性が無くなる。
【００５２】
また、機器を保持する保持部材は、外装箱とは所定の間隔を存して外装箱内に収納されているため、出荷時や搬送時などにおいて、外装箱の例えば角隅部が変形した場合であっても機器を保持する保持部材が変形することを回避することができ、機器を安全に搬送することができるようになる。更に、機器が載置される仕切部材の下端には、下端側凹部が複数形成されているので、搬送時における下面からの衝撃を緩和することができるものである。
【００５３】
請求項２の発明によれば、請求項１の機器の包装装置に加えて、保持部材の仕切部材は、機器の下面を緩衝材を介して保持するので、輸送中に機器に加わる衝撃を緩衝材にて吸収することができ、機器に直接衝撃が加わることを未然に回避することができるようになる。この場合、仕切部材の上端には、緩衝材の幅寸法より広い上端側凹部が複数形成されているので、緩衝材を仕切部材の上端側凹部上に収容することで緩衝材の位置決めを容易に行うことができるようになり、搬送時における衝撃によって緩衝材の位置が移動されてしまう不都合も未然に回避することができるようになるものである。
【００５４】
請求項３の発明によれば、請求項１又は請求項２の機器の包装装置に加えて、外装箱と機器との間に構成される間隔は、機器の付属部品の収納空間とされているので、一つの包装装置内に、機器と該機器の付属部品を収納することができるようになり、出荷、納品時の利便性が向上されると共に、付属部品の包装を容易に行うことができるようになる。
【００５５】
請求項４の発明によれば、請求項１、請求項２又は請求項３の機器の包装装置に加えて、保持部材を構成する仕切部材、側壁、及び、前後壁、又は、それらと緩衝材は板材から成り、分解可能に組み立てられているので、複数の板材を分解することにより、包装解放後、容易に処分することができるようになる。また、保持部材を構成する仕切部材、側壁、前後壁、又は、それらと緩衝材は、板材として保管することができるようになり、生産過程における保管スペースを縮小することができるようになる。
【００５６】
請求項５の発明によれば、請求項４の機器の包装装置に加えて、保持部材を構成する仕切部材、側壁、及び、前後壁は、外装箱と機器との間に構成される間隔を、付属部品の寸法に合わせて区画するので、付属部品を容易に収納することができると共に、機器と該付属部品とが接触することにより、機器が損傷することを未然に回避することができるようになる。
【図面の簡単な説明】
【図１】  本発明の包装対象となる冷却ユニットの斜視図である。
【図２】  図１の冷却ユニットの縦断側面図である。
【図３】  本発明の包装装置の分解斜視図である。
【図４】  本発明の包装装置の保持部材の斜視図である。
【符号の説明】
１  冷却ユニット
３  通風グリル
４  外装ケース
５  冷却器
６  冷却用送風機
７  本体
８  ドレンパン
９  冷気吸込口
１０  包装装置
１１  保持部材
１２  外装箱
１３  側壁
１４  前後壁
１５  第１の仕切部材
１５Ａ、１５Ｂ、１６Ａ  凹部
１６  第２の仕切部材
１７  リードボックス
１８  コントローラ
１９  電源コード
２０  緩衝材
２１  天板
２２  補強板
２３  切込
２４  折込部
２５  長孔
２６  スペース部材
【図１】
0004743995.tif 000002
【図２】
0004743995.tif 000003
【図３】
0004743995.tif 000004
【図４】
0004743995.tif 000005